(57)【特許請求の範囲】
【請求項１】
エレベータ基板の交換後、電源投入に伴ってエレベータの運転の制御を行う主制御部の初期設定を行うステップと、
前記主制御部が前記エレベータの運転に必要な情報を記憶するメモリ内の盗難防止用の情報を読み込むステップと、
前記主制御部が盗難防止用のセキュリティコードを記憶するセキュリティ用メモリから前記セキュリティコードを読み込むステップと、
前記主制御部が前記盗難防止用の情報と前記セキュリティコードとを比較するステップと、
前記主制御部は、前記盗難防止用の情報と前記セキュリティコードとが一致しない場合には前記エレベータの起動を行わないステップと、
前記盗難防止用の情報と前記セキュリティコードとが一致した場合には前記エレベータの運転を開始するステップと、
を備えるとともに、
前記主制御部による前記盗難防止用の情報と前記セキュリティコードとを比較するステップの後に、
前記エレベータの管理者へ注意喚起を行うステップと、
前記注意喚起から所定の時間が経過したか否かの判断を行うステップと、を備え、
前記所定の時間が経過しない場合には、前記エレベータの運転を開始するステップへと移行し、前記所定の時間が経過した場合に前記エレベータの起動を行わないことを特徴とするエレベータ基板の照合方法。
【請求項２】
前記主制御部による前記盗難防止用の情報と前記セキュリティコードとを比較するステップの後に、
前記セキュリティコードが保守専用コードであるか否かを判断するステップを備え、
前記セキュリティコードが保守専用コードである場合に、前記セキュリティ用メモリに前記盗難防止用の情報を書き込み前記エレベータの運転を開始するステップへと移行し、前記セキュリティコードが前記保守専用コードではない場合に、前記エレベータの起動を行わないことを特徴とする請求項１に記載のエレベータ基板の照合方法。
【発明の詳細な説明】
【技術分野】
【０００１】
本発明は、エレベータ基板、エレベータ及びエレベータ基板の照合方法に関する。
【背景技術】
【０００２】
建物に設置されるエレベータは、エレベータ制御装置による制御によってその運転が行われている。エレベータ制御装置内には、ＣＰＵ（Central Processing Unit）やメモリといった半導体装置を備える、いわゆるプリント基板（以下、このような基板を「エレベータ基板」と表わす）が設けられている。エレベータの運転制御は、具体的にはこれらエレベータ基板上の半導体装置によって行われているといえる。
【０００３】
これらエレベータ基板は、正規品であればもちろんのこと、プログラムをメモリごと交換、或いは、インストールし直すことによって、盗難や紛失した不正ルート品であっても、いずれも使用可能である。従って、現状では、エレベータ基板自体を厳重に管理することによって盗難、或いは紛失を防止している。
【０００４】
また、特許文献１に示されるエレベータ操作盤は、操作ボックスのカバーと、このカバーに一部が取着し、通常は電流が流れている電気配線と、この電気配線と接続した電流検出手段と、電流検出手段が予め設定された閾値以上の電流の変動を検出したときに警報信号を発する警報信号発生手段とを備えている。これによって、安価で確実に動作する盗難防止システムを備えたエレベータ操作盤を提供することができる、とされる。
【先行技術文献】
【特許文献】
【０００５】
【特許文献１】特開２００４−１９６４９９号公報
【発明の概要】
【発明が解決しようとする課題】
【０００６】
しかしながら、エレベータ基板自体の厳重な管理とは言っても、あくまでも人間が管理することになるため、盗難や紛失を完全になくすことは困難である。
【０００７】
一方、上述した特許文献１に記載のエレベータ操作盤では、異常な電流値を検出した場合に警報を発する構造であるが、この盗難防止システムを無効にしてしまった後は、結局エレベータ操作盤の不正流通を止めることはできない。
【０００８】
本発明は上記課題を解決するためになされたものであり、本発明の目的は、基板上に正規品でなければ正常にエレベータの起動がなされないこととする装置を設けることによって、盗難、紛失、及び、不正流通を防止することのできるエレベータ基板、エレベータ及びエレベータ基板の照合方法を提供することである。
【課題を解決するための手段】
【０００９】
本発明の実施の形態に係る第１の特徴は、エレベータ基板において、盗難防止用のセキュリティコードを記憶するセキュリティ用メモリと、エレベータの運転に必要な情報を記憶するとともに、盗難防止用の情報を記憶するメモリと、エレベータの運転の制御を行い、併せてセキュリティコードと盗難防止用の情報とを比較する主制御部と、を備え、主制御部は、セキュリティコードと盗難防止用の情報とが一致しない場合にはエレベータの起動を行わない。
【００１０】
本発明の実施の形態に係る第２の特徴は、エレベータにおいて、乗客が乗り込み昇降路内を昇降する乗りかごと、盗難防止用のセキュリティコードを記憶するセキュリティ用メモリと、エレベータの運転に必要な情報を記憶するとともに、盗難防止用の情報を記憶するメモリと、エレベータの運転の制御を行い、併せてセキュリティコードと盗難防止用の情報とを比較する主制御部と、を備え、主制御部は、セキュリティコードと盗難防止用の情報とが一致しない場合にはエレベータの起動を行わないエレベータ基板を備えるエレベータ制御装置とを備える。
【００１１】
本発明の実施の形態に係る第３の特徴は、エレベータ基板の照合方法において、エレベータ基板の交換後、電源投入に伴ってエレベータの運転の制御を行う主制御部の初期設定を行うステップと、主制御部がエレベータの運転に必要な情報を記憶するメモリ内の盗難防止用の情報を読み込むステップと、主制御部が盗難防止用のセキュリティコードを記憶するセキュリティ用メモリからセキュリティコードを読み込むステップと、主制御部が盗難防止用の情報とセキュリティコードとを比較するステップと、主制御部は、盗難防止用の情報とセキュリティコードとが一致しない場合にはエレベータの起動を行わないステップと、盗難防止用の情報とセキュリティコードとが一致した場合にはエレベータの運転を開始するステップとを備える。
【発明の効果】
【００１２】
本発明によれば、基板上に正規品でなければ正常にエレベータの起動がなされないこととする装置を設けることによって、盗難、紛失、及び、不正流通を防止することのできるエレベータ基板、エレベータ及びエレベータ基板の照合方法を提供することができる。
【図面の簡単な説明】
【００１３】
【図１】本発明の実施の形態におけるエレベータの全体構成を示す全体図である。
【図２】本発明の第１の実施の形態における各基板の構成及び接続構成を示すブロック図である。
【図３】本発明の第１の実施の形態におけるエレベータ基板の照合方法の流れを示すフローチャートである。
【図４】本発明の第１の実施の形態におけるエレベータ基板の照合方法の流れを示すフローチャートである。
【図５】本発明の第２の実施の形態における各基板の構成及び接続構成を示すブロック図である。
【図６】本発明の第２の実施の形態におけるエレベータ基板の照合方法の流れを示すフローチャートである。
【発明を実施するための形態】
【００１４】
以下、本発明の実施の形態について図面を参照して詳細に説明する。
【００１５】
（第１の実施の形態）
図１は、本発明の実施の形態におけるエレベータＥの全体構成を示す全体図である。エレベータＥは、乗客が乗る乗りかご１と、乗りかご１及びその他エレベータＥを構成する各要素の制御を行うエレベータ制御装置２とから構成される。乗りかご１には、図示しない他端に釣り合い重りが連結されるロープＲの一端が連結されている。なお、図示されてはいないが、ロープＲが巻き掛けられ乗りかご１を昇降路Ｈ内において昇降させるための巻上機や調速機等、通常エレベータＥを構成する各要素は当然設けられている。
【００１６】
乗りかご１内には、かご内呼び登録ボタン１ａが設けられており、乗りかご１に乗り込んだ乗客が目的とする階床を登録するために使用する。また、乗りかご１には乗りかご用制御基板ｂが設けられている。後述するようにエレベータ制御装置２からの制御信号は、乗りかご用制御基板１ｂに送信され、その指示内容に従って乗りかご１の運転が行われる。また、乗客がかご内呼び登録ボタン１ａを利用して目的階への移動のためにかご呼び登録を行った場合、その情報が乗りかご用制御基板１ｂを介してエレベータ制御装置２へと送信される。
【００１７】
なお、図１においては、乗りかご用制御基板１ｂや後述する乗場用制御基板については破線で示している。またそれぞれの設置位置については、自由にその位置を決定することができる。
【００１８】
乗りかご１の運転制御は、エレベータ制御装置２によって行われる。エレベータ制御装置２内には、後述するようにエレベータ基板が接続されている。図１においては、昇降路Ｈの横に示されているが、エレベータＥのどの場所に設けられていても良い。また、図１におけるエレベータ制御装置２には、このエレベータ制御装置２に向かう破線で示される矢印と、エレベータ制御装置２から外に向かう破線の矢印とが表わされている。これは、前者がエレベータ制御装置２に送信される各種信号の流れを示し、後者は、エレベータ制御装置２からエレベータＥの各要素に対して出される制御信号の流れを示すものである。
【００１９】
また、各階床には、乗りかご１を呼ぶための乗場呼びボタン３が設置されている。乗場呼びボタン３は各階床に設けられており（１階から４階に向けて乗場呼びボタン３ａないし３ｄ）、エレベータＥを利用する者は、いずれかの階床においてこの乗場呼びボタン３を押して乗りかご１を呼ぶ。なお、各階の乗場呼びボタン３ａないし３ｄは、以下、適宜まとめて「乗場呼びボタン３」と表わす。
【００２０】
各階床には、乗場呼びボタン３等を制御する乗場用制御基板４が設置されている。乗場用制御基板４は各階床に設けられており（１階から４階に向けて乗場用制御基板４ａないし４ｄ）、乗場呼びボタン３からの乗場呼び登録に関する情報や図示しないホールランタンの点灯等の制御を行う。なお、各階の乗場用制御基板４ａないし４ｄは、以下、適宜まとめて「乗場用制御基板４」と表わす。
【００２１】
図２は、本発明の実施の形態における各基板の構成及び接続構成を示すブロック図である。エレベータ制御装置２内には、エレベータ基板２１とＩ／Ｏ基板２２とが互いに接続されて設置されている。エレベータ基板２１は、主にエレベータＥの運転の制御を行う。そのため、主制御部２１ａと、セキュリティ用メモリ２１ｂと、メモリ２１ｃと、タイマ２１ｄとから構成されている。
【００２２】
一方、エレベータ基板２１と接続されるＩ／Ｏ基板２２は、乗りかご１内の乗りかご用制御基板１ｂや、各乗場に設置されている乗場用制御基板４との間で送受信される情報のやりとりを仲介する。Ｉ／Ｏ基板２２は、通信用制御部２２ａと、セキュリティ用メモリ２２ｂと、送受信回路２２ｃとから構成されている。
【００２３】
主制御部２１ａは、エレベータＥの各要素の運転制御を行う。そのため、例えば、かご呼び登録や乗場呼び登録等の情報は全てこの主制御部２１ａに集められ、これらを含む様々な条件を基に図示しない巻上機等を駆動して乗客の要求に応じたエレベータＥの運転を行う。
【００２４】
また主制御部２１ａは、後述するように、セキュリティ用メモリ２１ｂ内に記憶されているセキュリティコードとメモリ２１ｃ内に記憶されている盗難防止用の情報とを比較する。主制御部２１ａがこのような機能を備えていることで、エレベータ基板２１が盗難、紛失されて他のエレベータに流用されることを防止する。
【００２５】
セキュリティ用メモリ２１ｂは、エレベータ基板２１が盗難等の被害に遭うことを防止するためのセキュリティコードを記憶しておくセキュリティコード専用のメモリである。このセキュリティ用メモリ２１ｂには、セキュリティ用メモリ２１ｂにセキュリティコードを書き込むためのコネクタ２１ｅが備えられている。セキュリティ用メモリ２１ｂへのセキュリティコードの書き込みは、専用のライターをセキュリティコード書き込み用のコネクタ２１ｅに接続して行われる。
【００２６】
また、セキュリティ用メモリ２１ｂの内部回路（図示せず）には、ライト（ＷＲ）信号が接続されていない。従って、セキュリティコードの読み出しのみを行うことができ、例えば、エレベータＥの通常運転時に新しいセキュリティコードを書き込むことはできない。このセキュリティコードは、例えば、エレベータ基板２１を出荷する段階（製造時）で書き込まれる。
【００２７】
メモリ２１ｃは、エレベータＥの制御を行うためのソフトウェアが記憶されている。また、セキュリティコードとの照合を行うための確認用の窃盗防止用の情報も記憶されている。これらの情報は、主制御部２１ａからの読み出し信号に基づいて適宜読み出されてエレベータ基板の照合の際に利用される。
【００２８】
タイマ２１ｄは、例えば、乗りかご１の戸開から戸閉までの時間や後述するように、エラー表示されてから実際にエレベータＥの起動を行わないまでの時間を計測する。
【００２９】
エレベータ基板２１はＩ／Ｏ基板２２と互いに接続されている。従って、エレベータ基板２１の主制御部２１ａからの指示は、Ｉ／Ｏ基板２２の通信用制御部２２ａを介して各制御基板へと送信される。
【００３０】
セキュリティ用メモリ２２ｂは、上述したエレベータ基板２１に設けられているセキュリティ用メモリ２１ｂと同様に、その内部にセキュリティコードを記憶している。このようにＩ／Ｏ基板２２が独自にセキュリティ用メモリ２２ｂを備えていることによって、Ｉ／Ｏ基板２２の盗難等の被害に遭うことを防止することができる。このセキュリティ用メモリ２２ｂにも専用のライターを用いてセキュリティコードを書き込む際に使用されるコネクタ２２ｄが接続されている。
【００３１】
送受信回路２２ｃは、いわゆるＤＩ回路、ＤＯ回路であり、コネクタ２２ｅを介して信号の入出力を行う回路である。
【００３２】
以上説明したように、通信用制御部２２ａを介してエレベータ制御装置２（エレベータ基板２１）と各基板が接続されており、主制御部２１ａからの指示が該当する基板へと送信される。
【００３３】
次に、乗りかご用制御基板１ｂと各階床に設けられている乗場用制御基板４の内部構成について説明する。本発明の実施の形態においては、これらはいずれも同様の構成を採用しているので、乗りかご用制御基板１ｂを例に挙げて説明する。
【００３４】
乗りかご用制御基板１ｂには、エレベータ制御装置２からの指示を受信し、或いは、エレベータ制御装置２へと情報を送信する通信用制御部１ｂａを備えている。この通信用制御部１ｂａはさらに、セキュリティ用メモリ１ｂｂとメモリ１ｂｃとが接続されている。
【００３５】
セキュリティ用メモリ１ｂｂは、乗りかご用制御基板１ｂが盗難等の被害に遭うことを防止するためのセキュリティコードを記憶しておくセキュリティコード専用のメモリである。このセキュリティ用メモリ１ｂｂには、セキュリティ用メモリ１ｂｂにセキュリティコードを書き込むためのコネクタ１ｂｄが備えられている。セキュリティ用メモリ１ｂｂへのセキュリティコードの書き込みは、専用のライターをセキュリティコード書き込み用のコネクタ１ｂｄに接続して行われる。
【００３６】
また、セキュリティ用メモリ１ｂｂの内部回路（図示せず）には、ライト（ＷＲ）信号が接続されていない。従って、セキュリティコードの読み出しのみを行うことができ、例えば、エレベータＥの通常運転時に新しいセキュリティコードを書き込むことはできない。このセキュリティコードは、例えば、乗りかご用制御基板１ｂを出荷する段階（製造時）で書き込まれ、主制御部２１ａからの読み出し信号に基づいて適宜読み出されて確認用の窃盗防止用の情報との照合に使用される。
【００３７】
メモリ１ｂｃは、例えば、かご呼び登録をした場合にかご呼び登録ボタン１ａを点灯させる等、エレベータ制御装置２からの指示に基づく乗りかご１の制御を行うためのソフトウェアが記憶されている。
【００３８】
図３および図４は、本発明の第１の実施の形態におけるエレベータ基板の照合方法の流れを示すフローチャートである。まず、エレベータ基板２１が交換されエレベータＥの電源が投入されると、主制御部２１ａは初期設定を開始する（ＳＴ１）。
【００３９】
主制御部２１ａの初期設定が終了すると、メモリ２１ｃに記憶されている確認用の窃盗防止用の情報（以下、この情報を「暗号コード」と表わす）を読み出し読み込む（ＳＴ２）。さらに主制御部２１ａはエレベータ基板２１（セキュリティ用メモリ２１ｂ）内のセキュリティコードを読み込む（ＳＴ３）。そして「暗号コード」と「セキュリティコード」とを読み込み、両者を比較する（ＳＴ４）。
【００４０】
一般的にエレベータ基板２１が盗難等に遭って別の建物に設置されているエレベータの基板と交換された場合、そのエレベータに合うようにメモリ２１ｃ内に記憶されているエレベータの運転制御を行うためのプログラムは書き換えられる。このように書き換えられると、メモリ２１ｃ内に記憶されている暗号コードも変更されることになる。
【００４１】
セキュリティコードは、上述したように専用のライターをセキュリティコード書き込み用のコネクタ２１ｅに接続して書き込まれるが、その際、セキュリティコードは暗号コードと同一のコードが書き込まれる。従って、エレベータ基板２１が正規品である場合には、両者は一致するはずである。
【００４２】
暗号コードとセキュリティコードとを比較したところ、両コードが一致した場合には（ＳＴ４のＹＥＳ）、次に主制御部２１ａはＩ／Ｏ基板２２のセキュリティコードをセキュリティ用メモリ２２ｂから読み取る（ＳＴ５）。そして暗号コードとＩ／Ｏ基板２２が持つセキュリティコードとの比較の結果（ＳＴ６）、両コードが一致した場合には（ＳＴ６のＹＥＳ）、主制御部２１ａは、各階床に設置されている乗場用制御基板４のセキュリティコードとの比較、乗りかご１の乗りかご用制御基板１ｂのセキュリティコードとを順次比較する（ＳＴ７ないしＳＴ１０）。
【００４３】
比較の結果、いずれの場合にも暗号コードと各セキュリティコードとが一致した場合には（ＳＴ８のＹＥＳ、ＳＴ１０のＹＥＳ）、エレベータＥを起動し、通常運転へと移行させる（ＳＴ１１）。これによって、エレベータ基板２１と各基板との照合が完了し、エレベータ基板２１は正規品と確認されて正常にエレベータＥの各種制御を行うことができるようになる。
【００４４】
一方、上述した暗号コードとセキュリティコードとの比較の中で、いずれかの段階において両コードが一致しない場合には（ＳＴ４のＮＯ、ＳＴ６のＮＯ、ＳＴ８のＮＯ、ＳＴ１０のＮＯ）、エレベータ基板２１が盗難等にあった、いわゆる不正流通を経てエレベータＥのエレベータ制御装置２へと取り付けられた可能性が高いと考えられる。従って、その場合には、図４のフローチャートに示すように、そのエレベータＥを管理する管理者に対してエラー表示を行う。
【００４５】
具体的には、まず主制御部２１ａがエラー表示を行ったか否かを確認し（ＳＴ２１）、エラー表示が行われていない場合には（ＳＴ２１のＮＯ）、エラー表示を行う（ＳＴ２２）。
【００４６】
ここで「エラー表示」とは、管理者に対してエレベータＥに使用されているエレベータ基板２１が正規品ではないことを示す表示である。その意味では、正規品への交換を促す注意勧告であるとも言える。
【００４７】
主制御部２１ａはエラー表示を行うと、一旦、エレベータＥを通常運転へと移行させる（図３のＳＴ１１参照）。ここで、即座にエレベータＥの起動を停止させないのは、エレベータＥが設置されている建物における使用を勘案したためである。即座にエレベータＥを停止させてしまうと、その建物を利用する者の利便性を失わせることになるからである。そこで、エラー表示をさせるとともに、タイマ２１ｄをＯＮさせて計時を開始させる（ＳＴ２３）。
【００４８】
タイマ２１ｄに計時させるのは、上述したように、正規品ではないエレベータ基板２１が使用されているからといって即座にエレベータＥを停止させて正規品に交換されるまで停止させ続けることはできない。その一方で、そのまま使用を継続させることもできず、いずれエレベータＥを停止させて強制的にエレベータ基板２１を正規品へと交換させる必要が出てくる。
【００４９】
そこで、管理者に対してエラー表示は行いつつ、タイマ２１ｄで計時をし、所定の時間が経過するまで管理者に一定の猶予を与える。管理者はその猶予（所定の時間内）にエレベータ基板２１を正規品へと交換する。
【００５０】
その意味で、この所定の時間は管理者がエレベータ基板２１を正規品へと交換するに必要な時間であると言える。この交換に掛かる時間は、エレベータＥごとに相違すると考えられることから、所定の時間は自由に設定することができる。
【００５１】
主制御部２１ａがエラー表示を既に行っていると判断した場合には（ＳＴ２１のＹＥＳ）、さらにタイマ２１ｄから計時に関する情報を入手して所定の時間が経過したか否かを確認する（ＳＴ２４）。所定の時間が経過していない場合には（ＳＴ２４のＮＯ）、引き続きエレベータＥの通常運転を継続する。
【００５２】
一方、所定の時間が経過したと判断した場合には（ＳＴ２４のＹＥＳ）、管理者に対して故障信号を出力（発報）し、エレベータＥの起動を停止する（ＳＴ２５）。
【００５３】
以上説明したように、基板上に正規品でなければ正常にエレベータの起動がなされないこととする装置を設けることによって、盗難、紛失、及び、不正流通されたエレベータ基板の使用を不可能とし、結果、盗難、紛失、及び、不正流通を防止することのできるエレベータ基板、エレベータ及びエレベータ基板の照合方法を提供することができる。
【００５４】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００５５】
図５は、本発明の第２の実施の形態における各基板の構成及び接続構成を示すブロック図である。上述した第１の実施の形態における各基板の構成において相違する点は、第２の実施の形態におけるセキュリティ用メモリにはライト（ＷＲ）信号が接続されており、セキュリティコードの読み出しのみならず、セキュリティコードを書き込むことも可能とされている点である。
【００５６】
上述したように、セキュリティコードは、例えば、エレベータ基板２１を出荷する段階（製造時）で書き込まれることが多い。しかし、エレベータの保守に伴うエレベータ基板の交換の場合には、接続されるエレベータ基板が予めそのエレベータに使用されるものであるものと特定してセキュリティコードを書き込むには不確定要素が多い。従って、製造時にむしろセキュリティ用メモリにセキュリティコードを記憶させず、保守点検に伴うエレベータ基板の交換時に暗号コードに合わせてセキュリティコードを改めて規定することが適切である。
【００５７】
また、保守点検時に交換されるエレベータ基板は正規品であることからしても、セキュリティ用メモリ内に記憶されるセキュリティコードを書き込めることとしても、上述したような不正流通したエレベータ基板の使用という弊害は生じない。
【００５８】
但し、何度でもセキュリティコードを規定することができることとすると、結局はセキュリティコードが書換可能であることと変わりなくなってしまうことから、書換可能な回数は予め少ない回数に定められているべきである。
【００５９】
本発明の第２の実施の形態においては、以上の点に鑑み、交換用のエレベータ基板として出荷される時点では、セキュリティコードがセキュリティ用メモリに記憶されていない。但し、主制御部の初期設定においてメモリ内の暗号コードが規定されたのに合わせて書換が可能であるか否かを判断するコードとして保守専用コードが記憶されている。セキュリティ用メモリに保守専用コードが記憶されている場合には、この保守専用コードをセキュリティコードに書き換えることができるものとする。従って、この場合、１度保守専用コードをセキュリティコードに書き換えると以後はセキュリティコードを書き換えることは不可能となる。
【００６０】
図６は、本発明の第２の実施の形態におけるエレベータ基板の照合方法の流れを示すフローチャートである。なお、エレベータ基板２１内のセキュリティ用メモリ３１、Ｉ／Ｏ基板２２内のセキュリティ用メモリ３２、乗りかご１内のセキュリティ用メモリ３３、各乗場用制御基板４内のセキュリティ用メモリ３４、のいずれにおいても同じ流れで暗号コードとセキュリティコードとの照合を行うことから、以下においてはエレベータ基板２１内のセキュリティ用メモリ３１を例に挙げて説明する。
【００６１】
保守点検に伴ってエレベータ基板２１の交換が行われる場合、まず主制御部２１ａの初期設定が行われる（ＳＴ３１）。これは取り付けられるエレベータＥの運転制御のパターンに合わせるためである。その際に暗号コードも設定される。
【００６２】
主制御部２１ａは、設定された暗号コードを読み込むとともに（ＳＴ３２）、併せてエレベータ基板２１のセキュリティコードをセキュリティ用メモリ３１から読み込む（ＳＴ３３）。その上で、主制御部２１ａは暗号コードとセキュリティ用メモリ３１から読み込んだセキュリティコードを比較する（ＳＴ３４）。
【００６３】
但し、主制御部２１ａがセキュリティ用メモリ３１から読み込んだコードは、ここでは保守専用コードであるため、基本的には暗号コードと一致することはない（ＳＴ３４のＮＯ）。従って、セキュリティ用メモリ３１から読み込んだコードが保守専用コードである旨を確認して（ＳＴ３５のＹＥＳ）、暗号コードをセキュリティコードとしてセキュリティ用メモリ３１に書き込む（ＳＴ３６）。
【００６４】
なお、この後にＩ／Ｏ基板２２内のセキュリティ用メモリ３２、乗りかご１内のセキュリティ用メモリ３３、各乗場用制御基板４内のセキュリティ用メモリ３４も順次書き換えていく。
【００６５】
暗号コードをセキュリティコードとしてセキュリティ用メモリ３１に書き込んでいることからこのコードを暗号コードと比較しても両コードに齟齬はない。そこで、エレベータ制御装置２はエレベータＥを通常運転へと移行させる（ＳＴ３７）。
【００６６】
このように、一旦保守専用コードを書き換える作業を行った後は、この保守専用コードはセキュリティコードとして機能する。従って、一度でも保守点検等を受けてエレベータ基板２１を交換したことがある場合、その後に不正流通したエレベータ基板に交換した場合であっても、暗号コードと各基板におけるセキュリティコードとは一致せず（ＳＴ３４のＮＯ）、また、保守専用コードでもないことから（ＳＴ３５のＮＯ）、この場合には故障信号が出力されてエレベータの起動が停止される（ＳＴ３８）。
【００６７】
なお、エレベータ基板２１の交換に当たって予めセキュリティ用メモリ３１内の保守専用コードを暗号コードと同一のコードのセキュリティコードとして書き換えてある場合には、主制御部２１ａが比較すると両コードは一致する。その際には（ＳＴ３４のＹＥＳ）、すぐにエレベータＥを通常の運転へ移行させる（ＳＴ３７）。
【００６８】
以上説明したように、基板上に正規品でなければ正常にエレベータの起動がなされないこととする装置を設けることによって、盗難、紛失、及び、不正流通されたエレベータ基板の使用を不可能とし、結果、盗難、紛失、及び、不正流通を防止することのできるエレベータ基板、エレベータ及びエレベータ基板の照合方法を提供することができる。
【００６９】
特にエレベータの保守点検の際にエレベータ基板が交換されることを考慮してセキュリティ用メモリ内の保守専用コードをセキュリティコードへと書き換えることができることとすることで、盗難、紛失、及び、不正流通の防止を確保するとともに保守点検を容易に行うことができることとしている。
【００７０】
なお、この発明は、上記実施の形態そのままに限定されるものではなく、実施段階ではその要旨を逸脱しない範囲で構成要素を変形して具体化できる。例えば、故障信号の出力に当たっては、該当するエレベータと管理者との距離が離れている場合、エレベータに遠隔監視装置を設ける。この遠隔監視装置によって、管理者が建物から遠方にあっても適切にエレベータ基板の交換を促すことができる。
【００７１】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００７２】
１    乗りかご
１ｂ    乗りかご用制御基板
２    エレベータ制御装置
３    乗場呼びボタン
４    乗場用制御基板
２１    エレベータ基板
２１ａ  主制御部
２１ｂ  セキュリティ用メモリ
２１ｃ  メモリ
２１ｄ  タイマ
２１ｅ  コネクタ
２２    Ｉ／Ｏ基板
Ｅ    エレベータ
Ｈ    昇降路
Ｒ    ロープ
【図１】
0005495819.tif 000002
【図２】
0005495819.tif 000003
【図３】
0005495819.tif 000004
【図４】
0005495819.tif 000005
【図５】
0005495819.tif 000006
【図６】
0005495819.tif 000007